【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
接眼型のファインダと、
前記ファインダ近傍に設けられた表示部と、
前記ファインダと操作者との間の距離を測定する測距手段と、
前記測距手段により測定された距離が短くなるのにしたがって暗くなるように前記表示部の輝度を制御する制御手段と
を備えることを特徴とする撮像装置。
【請求項２】
前記制御手段は、前記測距手段により測定された距離が短くなっていく場合と長くなっていく場合とで異なる処理により前記表示部の輝度を制御することを特徴とする請求項１に記載の撮像装置。
【請求項３】
前記制御手段は、前記測距手段により測定された距離が同じ距離であっても、距離が短くなっていく場合と長くなっていく場合とで異なる輝度になるように前記表示部の輝度を制御することを特徴とする請求項２記載の撮像装置。
【請求項４】
前記制御手段は、前記距離が第１閾値以上である場合、前記表示部を明るくするように前記表示部の輝度を明るくするか暗くするかを設定する制御パラメータの値を設定し、前記距離が第１閾値より小さい第２閾値以下である場合、前記表示部を暗くするように前記制御パラメータの値を設定し、設定された前記制御パラメータの値にしたがって前記表示部の輝度を制御することを特徴とする請求項３に記載の撮像装置。
【請求項５】
前記制御手段は、前記測距手段により測定された距離が短くなっていく場合と長くなっていく場合とで同一の処理により前記表示部の輝度を制御することを特徴とする請求項１に記載の撮像装置。
【請求項６】
前記制御手段は、前記距離と前記輝度が比例関係になるように前記距離に応じて前記表示部の輝度を制御することを特徴とする請求項１に記載の撮像装置。
【請求項７】
前記制御手段は、前記測距手段により測定された距離に応じて前記表示部の輝度を段階的に変化させることを特徴とする請求項１に記載の撮像装置。
【請求項８】
周囲の照度を検出する照度センサを備え、前記制御手段は、前記測距手段により測定された距離と前記照度センサにより検出された照度を考慮して前記表示部の輝度を制御することを特徴とする請求項１に記載の撮像装置。
【請求項９】
前記制御手段は、前記測距手段により測定された距離に応じて前記表示部全体の輝度を制御することを特徴とする請求項１に記載の撮像装置。
【請求項１０】
前記制御手段は、前記測距手段により測定された距離に応じて前記表示部の輝度を表示部のエリア毎に制御することを特徴とする請求項１に記載の撮像装置。
【請求項１１】
前記測距手段は位相差センサにより構成されていることを特徴とする請求項１に記載の撮像装置。
【請求項１２】
前記測距手段は静電容量型測距センサにより構成されていることを特徴とする請求項１に記載の撮像装置。
【請求項１３】
前記測距手段は、使用者の瞳の大きさを検出するセンサにより構成され、検出された瞳の大きさから前記ファインダと使用者との間の距離を測定することを特徴とする請求項１に記載の撮像装置。
【請求項１４】
前記ファインダは、前記測距手段により測定された距離に応じてオン／オフされる電子式ファインダであることを特徴とする請求項１に記載の撮像装置。
【請求項１５】
接眼型のファインダと、
前記ファインダ近傍に設けられた表示部と、
前記ファインダの周囲の照度を検出する照度検出手段と、
前記照度検出手段により検出された照度が低くなるのにしたがって段階的に暗くなるように前記表示部の輝度を制御する制御手段と
を備えることを特徴とする撮像装置。
【請求項１６】
接眼型のファインダと、ファインダ近傍に設けられた表示部と、ファインダと操作者との間の距離を測定する測距手段とを備える撮像装置の表示輝度制御方法であって、
ファインダと操作者との間の距離を測定する測距ステップと、
前記測距ステップにより測定された距離が短くなるのにしたがって暗くなるように表示部の輝度を制御する制御ステップと
を含むことを特徴とする表示輝度制御方法。
【請求項１７】
接眼型のファインダと、ファインダ近傍に設けられた表示部と、ファインダと操作者との間の距離を測定する測距手段とを備える撮像装置に内蔵されたコンピュータが実行する撮像装置のコンピュータプログラムであって、前記測距手段により測定された距離が短くなるのにしたがって暗くなるように前記表示部の輝度を制御する処理をコンピュータに実行させることを特徴とする撮像装置のコンピュータプログラムを記録した記録媒体。
【手続補正２】
【補正対象書類名】明細書
【補正対象項目名】０００８
【補正方法】変更
【補正の内容】
【０００８】
本発明に係る撮像装置において、制御手段は、測距手段により測定された距離が同じ距離であっても、距離が短くなっていく場合と長くなっていく場合とで異なる輝度になるように表示部の輝度を制御する。
【手続補正３】
【補正対象書類名】明細書
【補正対象項目名】０００９
【補正方法】変更
【補正の内容】
【０００９】
本発明に係る撮像装置において、制御手段は、距離が第１閾値以上である場合、前記表示部を明るくするように表示部の輝度を明るくするか暗くするかを設定する制御パラメータの値を設定し、距離が第１閾値より小さい第２閾値以下である場合、表示部を暗くするように制御パラメータの値を設定し、設定された制御パラメータの値にしたがって表示部の輝度を制御する。
【手続補正４】
【補正対象書類名】明細書
【補正対象項目名】００１０
【補正方法】変更
【補正の内容】
【００１０】
本発明に係る撮像装置において、制御手段は、測距手段により測定された距離が短くなっていく場合と長くなっていく場合とで同一の処理により表示部の輝度を制御する。
また、本発明に係る撮像装置において、制御手段は、距離と輝度が比例関係になるように距離に応じて表示部の輝度を制御する。
また、本発明に係る撮像装置において、制御手段は、制御手段は、測距手段により測定された距離に応じて表示部の輝度を段階的に変化させる。
【手続補正５】
【補正対象書類名】明細書
【補正対象項目名】００１１
【補正方法】変更
【補正の内容】
【００１１】
本発明に係る撮像装置において、周囲の照度を検出する照度センサを備え、制御手段は、測距手段により測定された距離と照度センサにより検出された照度を考慮して表示部の輝度を制御する。
【手続補正６】
【補正対象書類名】明細書
【補正対象項目名】００１２
【補正方法】変更
【補正の内容】
【００１２】
本発明に係る撮像装置において、制御手段は、測距手段により測定された距離に応じて表示部全体の輝度を制御する。
【手続補正７】
【補正対象書類名】明細書
【補正対象項目名】００１３
【補正方法】変更
【補正の内容】
【００１３】
本発明に係る撮像装置において、制御手段は、測距手段により測定された距離に応じて表示部の輝度を表示部のエリア毎に制御する。
【手続補正８】
【補正対象書類名】明細書
【補正対象項目名】００１４
【補正方法】変更
【補正の内容】
【００１４】
本発明に係る撮像装置は、測距手段は、位相差センサにより構成されていることを特徴とする。
【手続補正９】
【補正対象書類名】明細書
【補正対象項目名】００１５
【補正方法】変更
【補正の内容】
【００１５】
本発明に係る撮像装置において、測距手段は、静電容量型測距センサにより構成されていることを特徴とする。
【手続補正１０】
【補正対象書類名】明細書
【補正対象項目名】００１６
【補正方法】変更
【補正の内容】
【００１６】
本発明に係る撮像装置において、使用者の瞳の大きさを検出するセンサにより構成され、検出された瞳の大きさからファインダと使用者との間の距離を測定する。
【手続補正１１】
【補正対象書類名】明細書
【補正対象項目名】００１７
【補正方法】変更
【補正の内容】
【００１７】
本発明に係る撮像装置において、ファインダは、測距手段により測定された距離に応じてオン／オフされる電子式ファインダである。
【手続補正１２】
【補正対象書類名】明細書
【補正対象項目名】００１８
【補正方法】変更
【補正の内容】
【００１８】
本発明に係る撮像装置は、接眼型のファインダと、ファインダ近傍に設けられた表示部と、ファインダの周囲の照度を検出する照度検出手段と、照度検出手段により検出された照度が低くなるのにしたがって段階的に暗くなるように表示部の輝度を制御する制御手段とを備える。